(57)【要約】【課題】将来的にサニタリールームと部屋とを行き来できるようにすることができるとともに、部屋から中庭、駐車場へとアクセスできる建物を提供する。【解決手段】サニタリールーム５と部屋６とが構造壁ではない間仕切壁７を介して配置されているので、間仕切壁７の少なくとも一部を除去することによってサニタリールーム５と部屋６とが連通した状態になり、将来的にサニタリールーム５と部屋６とを行き来できるようにすることができる。部屋６とビルトイン車庫１１とが中庭１０を挟んで配置されており、中庭１０に面する部屋６を形成する外壁とビルトイン車庫１１を形成する外壁との双方に、それぞれ中庭１０と、部屋６およびビルトイン車庫１１とを行き来可能とする開口部１２，１３が形成されているので、部屋６から中庭１０、ビルトイン車庫１１へと容易にアクセスできる。【選択図】図１
2009121142.tif 000002
【特許請求の範囲】
【請求項１】
サニタリールームと部屋とが構造壁ではない間仕切壁を介して配置され、
前記部屋とビルトイン車庫とが外壁から窪んで外部に開放された中庭を挟んで配置されており、
前記中庭に面する前記部屋を形成する外壁と前記ビルトイン車庫を形成する外壁との双方には、それぞれ前記中庭と、部屋およびビルトイン車庫とを行き来可能とする開口部が形成されていることを特徴とする建物。
【請求項２】
請求項１に記載の建物において、
前記部屋はウォークインクローゼットを有しており、このウォークインクローゼットと前記サニタリールームとが構造壁ではない間仕切壁を介して配置されていることを特徴とする建物。
【請求項３】
請求項１に記載の建物において、
前記サニタリールームは収納部を有しており、
この収納部と前記部屋とが構造壁ではない間仕切壁を介して配置されていることを特徴とする建物。
【請求項４】
請求項１〜３のいずれか一項に記載の建物において、
前記サニタリールームの床面と、前記部屋の床面とはほぼ面一になっていることを特徴とする建物。
【請求項５】
請求項１〜４のいずれか一項に記載の建物において、
前記中庭の上方には、２階に設けられたインナーバルコニーの床が位置しており、この床は上下方向に光が透過可能でかつ通風可能に構成されていることを特徴とする建物。
【発明の詳細な説明】
【技術分野】
【０００１】
本発明は、サニタリールームと部屋とが構造壁ではない間仕切壁を介して配置された建物に関する。
【背景技術】
【０００２】
浴室、トイレ、洗面室等からなるサニタリールームと部屋とを連続して配置した建物の一例として、特許文献１に記載のものが知られている。
この特許文献１に記載の建物では、サニタリールームと部屋との間の壁に出入口が設けられており、この出入口を介して、住人はサニタリールームと部屋とを行き来できるようになっている。
また、外壁から窪んで外部に開放された中庭を有する建物の一例として、特許文献２に記載のものが知られている。
この特許文献２に記載の建物では、中庭を挟んでリビングルームと和室とが対向配置されており、また、駐車場は前記リビングルームと和室との間に配置された廊下を挟んで中庭と対向配置されている。
【特許文献１】特開２００４−１１３３６号公報
【特許文献２】特開平１０−２４６０１２号公報
【発明の開示】
【発明が解決しようとする課題】
【０００３】
ところで、上記特許文献１に記載の建物では、サニタリールームと部屋との間の壁に予め出入口が設けられているため、部屋とサニタリールームとを行き来できるが、その反面、サニタリールームでの騒音が出入口を介して部屋に伝わり易いという問題がある。
前記部屋が高齢者や要介護者専用の部屋であれば、部屋からサニタリールームに直接出入りできるように、予め出入口を設けておくことが必要であるが、住人に高齢者や要介護者がいない場合は前記出入口を予め設けることなく、将来的に高齢者や要介護者が生じた場合に前記出入口を設けたいという要望がある。
【０００４】
また、上記特許文献２に記載の建物では、リビングルームや和室等の部屋から中庭に直接アクセスできるが、この中庭から駐車場にアクセスするには、中庭から前記部屋に上がり、そこから廊下を通らなければならず、不便なときがあった。
【０００５】
本発明は上記事情に鑑みてなされたもので、将来的にサニタリールームと部屋とを行き来できるようにすることができるとともに、部屋から中庭、駐車場へとアクセスできる建物を提供することを課題としている。
【課題を解決するための手段】
【０００６】
上記課題を解決するために、請求項１に記載の発明は、例えば図１に示すように、サニタリールーム５と部屋６とが構造壁ではない間仕切壁７を介して配置され、
前記部屋６とビルトイン車庫１１とが外壁から窪んで外部に開放された中庭１０を挟んで配置されており、
前記中庭１０に面する前記部屋６を形成する外壁と前記ビルトイン車庫１１を形成する外壁との双方には、それぞれ前記中庭１０と、部屋６およびビルトイン車庫１１とを行き来可能とする開口部１２，１３が形成されていることを特徴とする。
【０００７】
請求項１に記載の発明によれば、例えば図４〜図６に示すように、間仕切壁７の少なくとも一部を除去することによってサニタリールーム５と部屋６とが連通した状態になるので、将来的にサニタリールーム５と部屋６とを行き来できるようにすることができる。
また、前記部屋６とビルトイン車庫１１とが外部に開放された中庭１０を挟んで配置されており、前記中庭１０に面する前記部屋６を形成する外壁と前記ビルトイン車庫１１を形成する外壁との双方に、それぞれ前記中庭１０と、部屋６およびビルトイン車庫１１とを行き来可能とする開口部１２，１３が形成されているので、部屋６から中庭１０、ビルトイン車庫１１へと容易にアクセスできる。
さらに、中庭１０が外部に開放されているので、外部から中庭１０を介して、部屋６やビルトイン車庫１１にアクセスできる。
また、中庭１０があるので、外部から直接部屋６を覗かれることもない。
【０００８】
請求項２に記載の発明は、請求項１に記載の建物において、
前記部屋６はウォークインクローゼット６ａを有しており、このウォークインクローゼット６ａと前記サニタリールーム５とが構造壁ではない間仕切壁７を介して配置されていることを特徴とする。
【０００９】
請求項２に記載の発明によれば、例えば図５に示すように、ウォークインクローゼット６ａとサニタリールーム５とを仕切る間仕切壁７の少なくとも一部を除去することによってサニタリールーム５と部屋６とがウォークインクローゼット６ａを介して連通した状態になるので、将来的にサニタリールーム５と部屋６とを行き来できるようにすることができる。
また、サニタリールーム５での騒音の一部がウォークインクローゼット６ａに吸収され、よって、サニタリールーム５での騒音が部屋６に伝わり難くなる。
【００１０】
請求項３に記載の発明は、請求項１に記載の建物において、
前記サニタリールーム５は収納部５ｄを有しており、
この収納部５ｄと前記部屋６とが構造壁ではない間仕切壁７を介して配置されていることを特徴とする。
【００１１】
請求項３に記載の発明によれば、サニタリールーム５の収納部５ｄと部屋６とが構造壁ではない間仕切壁７を介して配置されているので、サニタリールーム５での騒音の一部はこの収納部５ｄに吸収され、よって、サニタリールーム５での騒音が部屋６に伝わり難くなる。
【００１２】
請求項４に記載の発明は、請求項１〜３のいずれか一項に記載の建物において、
前記サニタリールーム５の床面と、前記部屋６の床面とはほぼ面一になっていることを特徴とする。
【００１３】
請求項４に記載の発明によれば、サニタリールーム５の床面と、部屋６の床面とがほぼ面一になっているので、間仕切壁７の少なくとも一部を除去することによってサニタリールーム５と部屋６とを連通した状態とした場合に、サニタリールーム５と部屋６とに床段差がなく、車椅子等でも容易に行き来できる。
【００１４】
請求項５に記載の発明は、例えば図１および図２に示すように、請求項１〜４のいずれか一項に記載の建物において、
前記中庭１０の上方には、２階に設けられたインナーバルコニー１８の床１８ａが位置しており、この床１８ａは上下方向に光が透過可能でかつ通風可能に構成されていることを特徴とする。
【００１５】
請求項５に記載の発明によれば、中庭１０の上方に、２階に設けられたインナーバルコニー１８の床１８ａが位置しており、この床１８ａは上下方向に光が透過可能でかつ通風可能に構成されているので、中庭１０に床１８ａを通して上方から採光や通風を十分に確保できる。
【発明の効果】
【００１６】
本発明によれば、サニタリールームと部屋とが構造壁ではない間仕切壁を介して配置されているので、間仕切壁の少なくとも一部を除去することによってサニタリールームと部屋とが連通した状態になるので、将来的にサニタリールームと部屋とを行き来できるようにすることができる。
また、前記部屋とビルトイン車庫とが外部に開放された中庭を挟んで配置されており、前記中庭に面する前記部屋を形成する外壁と前記ビルトイン車庫を形成する外壁との双方に、それぞれ前記中庭と、部屋およびビルトイン車庫とを行き来可能とする開口部が形成されているので、部屋から中庭、ビルトイン車庫へと容易にアクセスできる。
【発明を実施するための最良の形態】
【００１７】
以下図面を参照して本発明の実施の形態について説明する。
図１は本発明に係る建物の１階の平面図、図２は２階の平面図、図３は３階の平面図を示す。
図１に示すように、建物の１階の南東の角部には玄関１が設けられている。玄関１の玄関ホール１ａには南北に延在する廊下２の南側の端部が接続されており、該廊下２の西側には階段室が配置されており、この階段室に２階に至る階段３と、この階段３の下の収納部４とが配置されている。
【００１８】
前記廊下２の東側にはサニタリールーム５が配置されている。サニタリールーム５は、洗面室兼トイレ５ａと、浴室５ｂとによって構成されており、洗面室兼トイレ５ａと廊下２を仕切る壁に出入口５ｃが設けられている。また、サニタリールーム５は、収納部５ｄを有しており、この収納部５ｄは前記廊下２の北側の端部の突き当たりに配置されている。
【００１９】
１階の北西の角部には部屋６が配置されている。この部屋６は寝室として使用されるもので、ウォークインクローゼット６ａを有している。このウォークインクローゼット６ａは部屋６の寝室となる部分の東側に配置されており、出入口６ｂからウォークインクローゼット６ａに出入りできるようになっている。
また、ウォークインクローゼット６ａを含む部屋６とサニタリールーム５とは構造壁でない間仕切壁７を介して配置されている。この間仕切壁７は、サニタリールーム５の収納部５ｂと部屋６を仕切る第１間仕切壁７ａと、この第１間仕切壁７ａの端部に直角に接合されて、サニタリールーム５の洗面室兼トイレ５ａと部屋６のウォークインクローゼット６ａとを仕切る第２間仕切壁７ｂとを有している。
また、サニタリールーム５の床面と、部屋６の床面とはほぼ面一になっている。
なお、部屋６への出入口６ｃは、前記廊下２を挟んで前記サニタリールーム５への出入口５ｃと対向して設けられている。
【００２０】
また、建物の西面には、外壁から窪んで外部に開放された中庭１０が配置されており、この中庭１０を挟んで前記部屋６とビルトイン車庫１１とが南北に離間して対向配置されている。中庭１０の床にはデッキ材が敷設されている。
中庭１０に面する部屋６を形成する外壁には、中庭１０と部屋６とを行き来可能とする開口部１２が設けられており、この開口部１２には引違い式のサッシがはめ込まれている。
また、中庭１０に面するビルトイン車庫１１を形成する外壁には、中庭１０とビルトイン車庫とを行き来可能とする開口部１３が前記開口部１２と対向して設けられている。この開口部１３にはサッシ等の戸ははめ込まれていないが、必要に応じてはめ込んでもよい。
【００２１】
前記ビルトイン車庫１１は玄関１の西側に配置されており、このビルトイン車庫１１の西側の壁１１ａは、前記玄関１を形成するとともに玄関ドア１ａが設けられた壁１ｂと平行に配置されている。ビルトイン車庫１１の自動車の出入口１１ｂは、前記壁１１ａと壁１ｂとの間に設けられている。
【００２２】
建物の２階には、図２に示すように、居間１５と、ダイニングキッチン１６とが南北に離間して配置されており、これらの間には廊下１７が配置されている。２階の西側の外壁の南北方向中央部は窪んでおり、この窪んだ部分にはインナーバルコニー１８が設けられている。インナーバルコニー１８は、居間１５とダイニングキッチン１６との間に配置されており、これら居間１５およびダイニングキッチン１６から行き来可能となっている。
また、インナーバルコニー１８は１階の中庭１０の上方に位置しており、このインナーバルコニー１８の床１８ａは上下方向に光が透過可能でかつ通風可能に構成されている。例えば床１８ａはパンチングメタル、格子状に形成された金属製の床材等によって構成されている。
【００２３】
建物の３階には、図３に示すように、部屋２０，２１が南北に離間して配置されており、これらの間には廊下２２が配置されている。３階の西側の外壁の南北方向中央部は窪んでおり、この窪んだ部分２３は、２階のインナーバルコニー１８の上方に位置している。
また、廊下２２、部屋２１の東側には、小屋裏収納部２４，２５が配置されており、この小屋裏収納部２４，２５には廊下２２から出入りできるようになっている。
【００２４】
上記のような建物によれば以下のような効果を得ることができる。
図４に示すように、間仕切壁７を構成する第１間仕切壁７ａを除去することによって、サニタリールーム５と部屋６とが連通した状態になるので、将来的にサニタリールーム５と部屋６とを行き来できるようにすることができる。
また、部屋６とビルトイン車庫１１とが外部に開放された中庭１０を挟んで配置されており、中庭１０に面する部屋６を形成する外壁とビルトイン車庫１１を形成する外壁との双方に、それぞれ中庭１０と、部屋６およびビルトイン車庫１１とを行き来可能とする開口部１２，１３が形成されているので、部屋６から中庭１０、ビルトイン車庫１１へと容易にアクセスできる。
さらに、中庭１０が外部に開放されているので、外部から中庭１０を介して、部屋６やビルトイン車庫１１にアクセスできる。
また、中庭１０があるので、外部から直接部屋６を覗かれることもない。
【００２５】
また、図５に示すように、ウォークインクローゼット６ａとサニタリールーム５とを仕切る第２間仕切壁７ｂの一部を除去することによってサニタリールーム５と部屋６とがウォークインクローゼット６ａを介して連通した状態になるので、将来的にサニタリールーム５と部屋６とを行き来できるようにすることができる。また、サニタリールーム５での騒音の一部がウォークインクローゼット６ａに吸収され、よって、サニタリールーム５での騒音が部屋６に伝わり難くなる。
【００２６】
また、図６に示すように、間仕切壁７を全て除去することによって、サニタリールーム５と部屋６との間に大きな開口２６を形成して、これらニタリールーム５と部屋６と広く連通した状態になるので、これらニタリールーム５と部屋６とを車椅子等で行き来するのに都合がよい。
【００２７】
また、サニタリールーム５の収納部５ｄと部屋６とが構造壁ではない間仕切壁７を介して配置されているので、サニタリールーム５での騒音の一部はこの収納部５ｄに吸収され、よって、サニタリールーム５での騒音が部屋６に伝わり難くなる。
さらに、サニタリールーム５の床面と、部６屋の床面とがほぼ面一になっているので、間仕切壁７を除去することによってサニタリールーム５と部屋６とを連通した状態とした場合に、サニタリールーム５と部屋６とに床段差がなく、車椅子等でも容易に行き来できる。
また、１階の中庭１０の上方には、２階に設けられたインナーバルコニー１８の床１８ａが位置しており、この床１８ａは上下方向に光が透過可能でかつ通風可能に構成されているので、中庭１０に床１８ａを通して上方から採光や通風を十分に確保できる。
【図面の簡単な説明】
【００２８】
【図１】本発明に係る建物の一例を示すもので、１階の平面図である。
【図２】同、２階の平面図である。
【図３】同、３階の平面図である。
【図４】同、間仕切壁の第１間仕切壁を除去した状態を示す１階の平面図である。
【図５】同、間仕切壁の第２間仕切壁の一部を除去した状態を示す１階の平面図である。
【図６】同、間仕切壁全体を除去した状態を示す１階の平面図である。
【符号の説明】
【００２９】
５  サニタリールーム
５ｄ  収納部
６  部屋
６ａ  ウォークインクローゼット
７  間仕切壁
７ａ  第１間仕切壁
７ｂ  第２間仕切壁
１０  中庭
１１  ビルトイン車庫
１２，１３  開口部
１８  インナーバルコニー
１８ａ  インナーバルコニーの床
【図１】
2009121142.tif 000003
【図２】
2009121142.tif 000004
【図３】
2009121142.tif 000005
【図４】
2009121142.tif 000006
【図５】
2009121142.tif 000007
【図６】
2009121142.tif 000008